(57)【要約】      （修正有）【課題】面白みがあって顧客吸引力、購買惹起力を高める収納体を提供する。【解決手段】収納体Ｓは、内部に被収納体４を収納する収納部と口部とを有したボトル形状の本体１と、口部を閉じる蓋体２とを備え、本体１は、口部から本体１の底部に至る第１の半割部と第２の半割部とを有し、第１の半割部と第２の半割部は、ヒンジを介して接続され、第１の半割部の分離面と第２の半割部の分離面とを合わせた本体１の内部に被収納体４を収納した状態で、口部を蓋体２で閉じて、収納部に収納された被収納体４を本体１内に保持するものである。【選択図】図６
0003224733.tif 000002
【実用新案登録請求の範囲】
【請求項１】
内部に被収納体を収納する収納部と口部とを有したボトル形状の本体と、
前記口部を閉じる蓋体とを備え、
前記本体は、前記口部から前記本体の底部に至る第１の半割部と第２の半割部とを有し、
前記第１の半割部と前記第２の半割部は、ヒンジを介して接続され、
前記第１の半割部の分離面と前記第２の半割部の分離面とを合わせた前記本体の内部に前記被収納体を収納した状態で、前記口部を前記蓋体で閉じて、前記収納部に収納された前記被収納体を前記本体内に保持する
ことを特徴とする収納体。
【請求項２】
内部に被収納体を収納する収納部と口部とを有したボトル形状の本体と、
前記口部を閉じる蓋体とを備え、
前記本体は、前記口部から前記本体の底部に至る第１の半割部と第２の半割部とを有し、
前記第１の半割部の分離面と前記第２の半割部の分離面とを合わせた前記本体の内部に前記被収納体を収納した状態で、前記口部を前記蓋体で閉じて、前記収納部に収納された前記被収納体を前記本体内に保持する
ことを特徴とする収納体。
【請求項３】
被収納体は、複数の円柱体又は複数の筒体であり、
本体の立設時、前記本体内の前記被収納体は、前記円柱体又は前記筒体が積層されている
ことを特徴とする請求項１又は請求項２記載の収納体。
【請求項４】
本体は、透明又は半透明である
ことを特徴とする請求項１又は請求項２又は請求項３記載の収納体。
【請求項５】
口部の外周に雄ネジが、蓋体に前記雄ネジに螺合する雌ネジが、それぞれ設けられている
ことを特徴とする請求項１又は請求項２記載の収納体。
【考案の詳細な説明】
【技術分野】
【０００１】
本考案は、収納体に係り、特に、面白みがあって顧客吸引力、購買惹起力を高める収納体に関する。
【背景技術】
【０００２】
従来、被収納体を収納するボトル形状の収納体がある（特許文献１参照）。
これは、２以上のものを分離した状態で収納する容器で、筒形状の胴部を有する少なくとも２つの容器体を備え、２つの容器体はさらに、２つの容器体の胴部が直線状に並んだ状態で他方の容器体と着脱可能に係合する係合部を有する。これにより、二層式の容器は、飲料水の液体とサプリメント等の固体を同時に保管することができるものである。
【先行技術文献】
【特許文献】
【０００３】
【特許文献１】実用新案登録第３１１０４５９号公報
【考案の概要】
【考案が解決しようとする課題】
【０００４】
ところが、上記のものにあっては、機能に重点を置いたもので、おもしろさに欠けるという問題点が生じた。
【０００５】
本考案は、上記の問題点を考慮してなされた収納体を提供することにある。
【課題を解決するための手段】
【０００６】
請求項１記載の収納体は、内部に被収納体を収納する収納部と口部とを有したボトル形状の本体と、前記口部を閉じる蓋体とを備え、前記本体は、前記口部から前記本体の底部に至る第１の半割部と第２の半割部とを有し、前記第１の半割部と前記第２の半割部は、ヒンジを介して接続され、前記第１の半割部の分離面と前記第２の半割部の分離面とを合わせた前記本体の内部に前記被収納体を収納した状態で、前記口部を前記蓋体で閉じて、前記収納部に収納された前記被収納体を前記本体内に保持するものである。
【０００７】
また、請求項２記載の収納体は、内部に被収納体を収納する収納部と口部とを有したボトル形状の本体と、前記口部を閉じる蓋体とを備え、前記本体は、前記口部から前記本体の底部に至る第１の半割部と第２の半割部とを有し、前記第１の半割部の分離面と前記第２の半割部の分離面とを合わせた前記本体の内部に前記被収納体を収納した状態で、前記口部を前記蓋体で閉じて、前記収納部に収納された前記被収納体を前記本体内に保持するものである。
【０００８】
また、請求項３記載の収納体は、請求項１又は請求項２記載の収納体において、被収納体は、複数の円柱体又は複数の筒体であり、本体の立設時、前記本体内の前記被収納体は、前記円柱体又は前記筒体が積層されているものである。
【０００９】
また、請求項４記載の収納体は、請求項１又は請求項２又は請求項３記載の収納体において、本体は、透明又は半透明である。
【００１０】
また、請求項５記載の収納体は、請求項１又は請求項２記載の収納体において、口部の外周に雄ネジが、蓋体に前記雄ネジに螺合する雌ネジが、それぞれ設けられているものである。
【考案の効果】
【００１１】
請求項１、２記載の収納体によれば、ボトル形状の本体内に口部より大きい被収納体を簡易に収納でき、面白みがあって顧客吸引力、購買惹起力を高める収納体を得ることができる。
【００１２】
また、請求項３記載の収納体によれば、上述した請求項１又は請求項２記載の考案の効果に加え、被収納体は、複数の円柱体又は複数の筒体であり、本体の立設時、前記本体内の前記被収納体は、前記円柱体又は前記筒体が積層されているため、本体の長手方向が載置台に平行になるようにして、本体を開放すれば、どの場所の被収納体も出し入れが容易である。
【００１３】
また、請求項４記載の収納体によれば、上述した請求項１又は請求項２又は請求項３記載の考案の効果に加え、本体は、透明又は半透明であるため、被収納体が収納された本体をディスプレーとして観賞して楽しむことができる。
【００１４】
また、請求項５記載の収納体によれば、上述した請求項１又は請求項２記載の考案の効果に加え、口部の外周に雄ネジが、蓋体に前記雄ネジに螺合する雌ネジが、それぞれ設けられているため、前記口部を前記蓋体で確実に閉じて、前記収納部に収納された前記被収納体を前記本体内に確実に保持することができる。
【図面の簡単な説明】
【００１５】
【図１】図１は、本考案の一実施例の収納体を斜め上方から撮影した写真である。
【図２】図２は、図１の収納体を載置台に置いた状態を撮影した写真である。
【図３】図３は、図２の収納体の本体を第１の半割部と第２の半割部とに分離した状態を撮影した写真である。
【図４】図４は、図３の収納体に被収納体を収納した状態を撮影した写真である。
【図５】図５は、図４の収納体の本体を閉じた状態を撮影した写真である。
【図６】図６は、図５の被収納体と異なる被収納体を収納し、立設状態の収納体を撮影した写真である。
【図７】図７は、図６の収納体の内の一方の収納体の本体を開いた状態の概略的図である。
【図８】図８は、図１の収納体と異なる他の実施例の収納体を分離した状態の概略的図である。
【考案を実施するための形態】
【００１６】
本考案の一実施例の収納体を図１乃至図７を参照して説明する。
【００１７】
図１、図２、図３に示すＳは収納体で、収納体Ｓは、内部に被収納体４を収納する収納部１ａと口部１ｂとを有したボトル形状の本体1と、口部１ｂを閉じる蓋体２とを備えている。また、口部１ｂの外周に雄ネジが、蓋体２に前記雄ネジに螺合する雌ネジが、それぞれ設けられている。
本体１は、口部１ｂから本体１の底部１cに至る第１の半割部１Ｘと第２の半割部１Ｙを有し、第１の半割部１Ｘと第２の半割部１Ｙは、ヒンジ３を介して接続されている。
そして、第１の半割部１Ｘの分離面１Ｘ１と第２の半割部１Ｙの分離面１Ｙ１とを合わせた本体１の内部に被収納体４を収納した状態で、口部１ｂを蓋体２で閉じて、収納部１ａに収納された被収納体４を本体１内に保持することができる。
なお、口部１ｂを蓋体２で閉じる一手段として、例えば、口部１ｂの雄ネジに蓋体２の雌ネジを螺合して行う。
【００１８】
上述した収納体Ｓによれば、ボトル形状の本体１内に口部１ｂより大きい被収納体４を簡易に収納でき、面白みがあって顧客吸引力、購買惹起力を高める収納体Ｓを得ることができる。
【００１９】
なお、本体１内の被収納体４は、複数の円柱体又は複数の筒体４（例えば、マスキングテープである。）であり、底部１cを載置台５に当接した本体１の立設時、図６に示すように、円柱体又は筒体が積層されている。
この収納体Ｓによれば、本体１内の被収納体４は、本体１の立設時、積層された円柱体又は積層された筒体であるため、図７に示すように、本体１の長手方向が載置台５に平行になるようにして、本体１を開放すれば、どの場所の被収納体４も出し入れが容易である。
【００２０】
また、本体１は、透明又は半透明であるため、図６に示すように、被収納体４が収納された本体１をディスプレーとして観賞して楽しむことができる。
【００２１】
なお、上述した実施例の口部１ｂの外周に雄ネジが、蓋体２に前記雄ネジに螺合する雌ネジが、それぞれ設けられ、口部１ｂを蓋体２で確実に閉じて、収納部１ａに収納された被収納体4を本体1内に確実に保持するるようにしたが、本願考案にあっては、これに限らず、口部１ｂの外周の雄ネジ及び蓋体２に前記雄ネジに螺合する雌ネジを設けず、口部１ｂを蓋体２で閉じる、例えば、口部１ｂを蓋体２で単に覆うようにしても良いし、また、蓋体２を口部１ｂに圧入するようにしても良い。
【００２２】
なお、上述した実施例の収納体Ｓは、第１の半割部１Ｘと第２の半割部１Ｙは、ヒンジ３を介して接続されているが、本願考案は、これに限らず、ヒンジ３を用いないものにも適用することができる。
即ち、図８に示すように、内部に被収納体（図示しないが、図４に示す被収納体４と同様のものである。）を収納する収納部１ａと口部１ｂとを有したボトル形状の本体１と、口部１ｂを閉じる蓋体２とを備え、本体1は、口部１ｂから本体１の底部１cに至る第１の半割部１Ｘと第２の半割部１Ｙとを有し、第１の半割部１Ｘの分離面１Ｘ１と第２の半割部１Ｙの分離面１Ｙ１とを合わせた本体１の内部に被収納体４を収納した状態で、口部１ｂを蓋体２で閉じて、収納部１ａに収納された被収納体（図示しないが、図４に示す被収納体４である。）を本体1内に保持するものである。
なお、図８は、矢印方向に移動して、第１の半割部１Ｘと第２の半割部１Ｙとに分離するものである。
【００２３】
また、図８は、口部１ｂの外周に雄ネジが、蓋体２に前記雄ネジに螺合する雌ネジが、それぞれ設けられ、口部１ｂを蓋体２で確実に閉じて、収納部１ａに収納された被収納体（図示しないが、図４に示す被収納体４同様のものである。）を本体1内に確実に保持するようにしたが、本願考案にあっては、これに限らず、上述の実施例と同様に、口部１ｂの外周の雄ネジ及び蓋体２に前記雄ネジに螺合する雌ネジを設けず、口部１ｂを蓋体２で閉じる、例えば、口部１ｂを蓋体２で単に覆うようにしても良いし、また、蓋体２を口部１ｂに圧入するようにしても良い。
【符号の説明】
【００２４】
Ｓ      収納体
１      本体
１ａ    収納部
１ｂ    口部
１c     底部
１Ｘ    第１の半割部
１Ｘ１  分離面
１Ｙ    第２の半割部
１Ｙ１  分離面
２      蓋体
３       ヒンジ
４      被収納体
５       載置台
【図１】
0003224733.tif 000003
【図２】
0003224733.tif 000004
【図３】
0003224733.tif 000005
【図４】
0003224733.tif 000006
【図５】
0003224733.tif 000007
【図６】
0003224733.tif 000008
【図７】
0003224733.tif 000009
【図８】
0003224733.tif 000010